(57)【要約】地域内でのコミュニケーションに適した投稿受付・公開用のシステムを提供することを目的とする。所定の地域に関する地域的投稿を受け付ける地域的投稿受付部と、前記地域的投稿を登録する地域的投稿登録部と、前記地域的投稿を公開する地域的投稿公開部とを具備する投稿受付・公開用サーバを構成する。
2002054253.tif 000002
【特許請求の範囲】
【請求項１】
ネットワークを通じて投稿を受け付け、公開する投稿受付・公開用サーバであって、
所定の地域に関する地域的投稿を受け付ける地域的投稿受付部と、
前記地域的投稿受付部が受け付けた前記地域的投稿を登録する地域的投稿登録部と、
前記地域的投稿登録部が登録した前記地域的投稿を公開する地域的投稿公開部と
を具備することを特徴とする投稿受付・公開用サーバ。
【請求項２】
前記所定の地域が複数あって、該複数の地域ごとに前記地域的投稿受付部、前記地域的投稿登録部、および前記地域的投稿公開部を具備することを特徴とする請求項１記載の投稿受付・公開用サーバ。
【請求項３】
前記複数の所定の地域を選択する地域選択部
をさらに具備することを特徴とする請求項２記載の投稿受付・公開用サーバ。
【請求項４】
前記地域選択部が、地域の選択にＵＲＬを用いる
ことを特徴とする請求項３記載の投稿受付・公開用サーバ。
【請求項５】
投稿に関わる地域を特定しないで投稿を受け付ける非地域的投稿受付部と、
前記非地域的投稿受付部が受け付けた投稿を登録する非地域的投稿登録部と、
前記非地域的投稿登録部が登録した投稿を公開する非地域的投稿公開部と
をさらに具備することを特徴とする請求項１記載の投稿受付・公開用サーバ。
【請求項６】
前記投稿受付・公開用サーバが、他から提供された情報の公開を専ら行うことを特徴とする請求項１記載の投稿受付・公開用サーバ。
【請求項７】
前記地域的公開部が、所定の広告情報を併せて公開する
ことを特徴とする請求項１記載の投稿受付・公開用サーバ。
【請求項８】
前記地域的投稿登録部で登録された投稿を検索、抽出する検索部をさらに具備することを特徴とする請求項１記載の投稿受付・公開用サーバ。
【請求項９】
前記地域的投稿が、既に登録された投稿に応答する地域的投稿であることを特徴とする請求項１記載の投稿受付・公開用サーバ。
【請求項１０】
前記地域的投稿が、画像情報を含むことを特徴とする請求項１記載の投稿受付・公開用サーバ。
【請求項１１】
前記地域的投稿が、メールを求める情報を含む
ことを特徴とする請求項１記載の投稿受付・公開用サーバ。
【請求項１２】
ネットワークを通じて投稿を受け付け、公開する投稿受付・公開方法であって、
所定の地域に関する地域的投稿の入力を促す地域的投稿入力ステップと、
前記地域的投稿入力ステップで入力された前記地域的投稿を登録する地域的投稿登録ステップと、
前記地域的登録ステップで登録された前記地域的投稿を公開する地域的投稿公開ステップと
を具備することを特徴とする投稿受付・公開方法。
【請求項１３】
前記所定の地域が複数あって、該複数の地域ごとに前記地域的投稿入力ステップ、前記地域的投稿登録ステップ、前記地域的投稿公開ステップを
具備することを特徴とする請求項１２記載の投稿受付・公開方法。
【請求項１４】
前記複数の所定の地域を選択する地域選択ステップ
をさらに具備することを特徴とする請求項１３記載の投稿受付・公開方法。
【請求項１５】
前記地域選択ステップにおける地域の選択にＵＲＬを用いる
ことを特徴とする請求項１４記載の投稿受付・公開方法。
【請求項１６】
投稿に関わる地域を特定しないで投稿の入力を促す非地域的投稿入力ステップと、
前記非地域的投稿入力ステップで入力された投稿を登録する非地域的投稿登録ステップと、
前記非地域的投稿登録ステップで登録された投稿を公開する非地域的投稿公開ステップと
をさらに具備することを特徴とする請求項１２記載の投稿受付・公開方法。
【請求項１７】
他から提供された情報の公開を専ら行うことを特徴とする請求項１記載の投稿受付・公開方法。
【請求項１８】
前記地域的公開ステップで所定の広告情報を併せて公開する
ことを特徴とする請求項１２記載の投稿受付・公開方法。
【請求項１９】
前記地域的投稿登録ステップで登録された投稿を検索、抽出する検索ステップ
をさらに具備することを特徴とする請求項１２記載の投稿受付・公開方法。
【請求項２０】
前記地域的投稿が、既に登録された投稿に応答する地域的投稿であることを特徴とする請求項１２記載の投稿受付・公開方法。
【請求項２１】
前記地域的投稿が、画像情報を含む
ことを特徴とする請求項１２記載の投稿受付・公開方法。
【請求項２２】
前記地域的投稿が、メールを求める情報を含む
ことを特徴とする請求項１２記載の投稿受付・公開方法。
【発明の詳細な説明】
技術分野
本発明は、ネットワークを用いて投稿の受付および公開を行う投稿受付・公開用サーバ、および投稿受付・公開方法に関する。
背景技術
近年のインターネットの発達によりネットワークを通じた情報の公開（情報の提供、交換等）が盛んになってきている。
図１０に情報の提供に用いられる従来の情報公開システムを示す。この情報公開システムは情報公開用のサーバ２００を用い、インターネット３００を通じてパーソナル・コンピュータ４００Ａ、４００Ｂに情報の公開を行う。サーバ２００は、サーバ本体２０２とデータベース２０４から構成される。サーバ本体２０２には情報の提供を行う情報提供部２０６があり、データベース２０４に蓄積された情報提供用コンテンツ２０８内の情報を提供する。
情報提供サイトとしての価値を高めるために、情報提供部２０６に付随してコミュニケーション部２１０が設置される。コミュニケーション部２１０は、例えば電子掲示板等を用いた個人的な情報交換を行うものであり、個人的に作成した情報をコミュニケーション用コンテンツ２１２としてデータベース２０４内に蓄積している。
ここで、情報提供用コンテンツ２０８の具体例を図１１に示す。この情報提供用コンテンツ２０８は、情報提供用サーバ２００の運営者自身またはその責任において作成された種々の情報が蓄積されている。
発明の開示
このような情報公開用システムの地域的展開を図りたい場合がある。しかし、このためにはそれぞれの地域に適した情報をサーバ２００の運営者が用意しなければならず、大きな労力が必要となる。
また、情報の提供を受ける者にとって興味のない話題が多ければ、データベース２０４にアクセスして情報の提供を受けようとする者が少なくなる。
以上に鑑み本発明は、アクセスする者にとって興味のある話題が提供されやすい情報公開システムを提供することを目的とする。
また、本発明は地域展開がしやすい情報公開用のシステムを提供することを目的とする。
（１）上記に鑑み、本発明に係る投稿受付・公開用サーバは、ネットワークを通じて投稿を受け付け、公開する投稿受付・公開用サーバであって、所定の地域に関する地域的投稿を受け付ける地域的投稿受付部と、前記地域的投稿受付部が受け付けた前記地域的投稿を登録する地域的投稿登録部と、前記地域的投稿登録部が登録した前記地域的投稿を公開する地域的投稿公開部とを具備することを特徴とする。
所定の地域に関する地域的投稿を受け付け、公開するので、投稿者と投稿の閲覧者の双方にとって興味のある話題が多くなり、また投稿受付・公開用サーバを介して地域的なコミュニティを形成することも可能となる。
ここで、本発明に係る投稿受付・公開用サーバは、前記所定の地域が複数あって、該複数の地域ごとに前記地域的投稿受付部、前記地域的投稿登録部、および前記地域的投稿公開部を具備することができる。
それぞれの地域に対応した地域的投稿受付部等を具備することで、投稿受付・公開用サーバ全体として広い地域をカバーすることが可能となる。
また本発明に係る投稿受付・公開用サーバは、前記複数の所定の地域を選択する地域選択部をさらに具備することができる。
地域選択部を用いて、投稿あるいは閲覧する投稿内容に関わる地域を容易に変更できる。この結果、目的とする地域の情報を容易に入手でき、例えば旅行等の情報収集に役立てることができる。
さらに、本発明に係る投稿受付・公開用サーバは、投稿に関わる地域を特定しないで投稿を受け付ける非地域的投稿受付部と、前記非地域的投稿受付部が受け付けた投稿を登録する非地域的投稿登録部と、前記非地域的投稿登録部が登録した投稿を公開する非地域的投稿公開部とをさらに具備することができる。
特段地域を限定しない非地域的投稿受付部等を具備することで、投稿内容が広い地域に共通する話題か地域固有の話題かに応じて、投稿を区分することが容易になる。
加えて、本発明に係る投稿受付・公開用サーバが、他から提供された情報の公開を専ら行ってもよい。
公開する情報を自ら作成する必要がないので、複数の地域に対するシステムの展開が容易に行える。
（２）本発明に係る投稿受付・公開方法は、ネットワークを通じて投稿を受け付け、公開する投稿受付・公開方法であって、所定の地域に関する地域的投稿の入力を促す地域的投稿入力ステップと、前記地域的投稿入力ステップで入力された前記地域的投稿を登録する地域的投稿登録ステップと、前記地域的登録ステップで登録された前記地域的投稿を公開する地域的投稿公開ステップとを具備することを特徴とする。
所定の地域に関する投稿を受け付け、公開するので、投稿者と投稿の閲覧者の双方にとって興味のある話題が多くなり、また地域的なコミュニティを形成することも可能となる。
ここで、本発明に係る投稿受付・公開方法は、前記所定の地域が複数あって、該複数の地域ごとに前記地域的投稿入力ステップ、前記地域的投稿登録ステップ、前記地域的投稿公開ステップを具備することができる。
それぞれの地域に対応した地域的投稿入力ステップ等を具備することで、投稿受付・公開方法によって広い地域をカバーすることが可能となる。
また本発明に係る投稿受付・公開方法は、前記複数の所定の地域を選択する地域選択ステップをさらに具備することができる。
地域選択ステップを用いて、投稿あるいは閲覧する投稿内容に関わる地域を容易に変更できる。この結果、目的とする地域の情報を容易に入手でき、例えば旅行等の情報収集に役立てることができる。
さらに、本発明に係る投稿受付・公開用方法は、投稿に関わる地域を特定しないで投稿の入力を促す非地域的投稿入力ステップと、前記非地域的投稿入力ステップで入力された投稿を登録する非地域的投稿登録ステップと、前記非地域的投稿登録ステップで登録された投稿を公開する非地域的投稿公開ステップとをさらに具備するすることができる。
特段地域を限定しない非地域的投稿入力ステップ等を具備することで、投稿内容が広い地域に共通する話題か地域固有の話題かに応じて、投稿を区分することが容易になる。
加えて、本発明に係る投稿受付・公開方法において、他から提供された情報の公開を専ら行ってもよい。
公開する情報を自ら作成する必要がないので、複数の地域に対するシステムの展開が容易に行える。
発明を実施するための形態
以下、本発明の実施の形態を図面を参照して詳細に説明する。
図１は本発明の実施形態に係る投稿受付・公開システムの全体構成を表す概念図である。図１に示すように、投稿受付・公開用サーバ１０とユーザ端末２０Ａ、２０Ｂがインターネット等のネットワーク３０を通じて接続されている。また、広告等を提供するスポンサー４１、４２が投稿受付・公開用サーバ１０と関連づけられている。
投稿は、投稿受付・公開用サーバ１０を介しネットワーク上での公開が予定された情報であり、文字、画像、音声またはこれらの任意の結合等から構成される。
投稿受付・公開用サーバ１０は、ユーザ端末２０Ａ、２０Ｂからの投稿を受け付け、この投稿を公開するサーバ・コンピュータである。この投稿受付・公開用サーバ１０は投稿情報を集積し公開することを専ら行う投稿受付・公開専門（コミニュケーション専門）のサイトを構成する。このように本発明に係る投稿受付・公開用サーバ１０はコミニュケーションに特化している。
従来の情報公開用サイトは、自ら作成した情報の提供を主として行う情報提供サイトであり、投稿受付・公開が行われるとしてもあくまで情報提供に付随して行われるにすぎない。従い、従来の情報公開用サイトにおいて地域展開を図ろうとすれば（フランチャイズ）、展開を図る地域に応じて提供する情報（コンテンツ）を用意しなければならない。その結果、地域展開に多大の労力を要することになる。
これに対して、本発明に係る投稿受付・公開用サーバ１０は、投稿受付・公開を専門とし、公開する情報を自ら提供するわけではないので、地域展開が容易になる。即ち、投稿受付・公開用サーバ１０は、公開する情報を投稿等他から提供された情報のみを用いているので、提供する情報の作成を要さず複数の地域に容易に展開できる。
投稿受付・公開用サーバ１０は、サーバ本体１１とデータベース１２から構成される。サーバ本体１１は、地域的投稿受付・公開部１３、全国的投稿受付・公開部１４、送受信部１５から構成される。データベース１２は、例えばハードディスク等の補助記憶装置装置上に構成され、地域版コンテンツ１６と全国版コンテンツ１７が登録、保存されている。
地域的投稿受付・公開部１３は、所定の地域に関する投稿を受け付け、これを公開するもので、各地域それぞれに対応する複数個の地域的投稿受付・公開部１３（１）〜１３（ｎ）から構成される。一方、全国的投稿受付・公開部１４は、日本国全域に関する投稿を受け付け、この投稿を公開する。全国的投稿受付・公開部１４は、地域的投稿受付・公開部１３との対比において、地域の限定がない非地域的投稿受付・公開部の一種として機能する。送受信部１５は、ネットワーク３０を介してユーザ端末２０Ａ、２０Ｂと投稿用、投稿公開用のデータの送受信を行う。
地域版コンテンツ１６は、地域的投稿受付・公開部１３が受け付けた所定の地域に関する投稿の内容を蓄積したものであり、地域的投稿受付・公開部１３（１）〜１３（ｎ）のそれぞれと１対１に対応する複数個の地域版コンテンツ１６（１）〜１６（ｎ）から構成される。また、全国版コンテンツ１７は、全国的投稿受付・公開部１４が受け付けた日本全国に関する投稿を蓄積したものである。なお、全国版コンテンツ１７は、地域版コンテンツ１６との対比において、地域の限定がない非地域的コンテンツの一種として機能する。
地域的投稿受付・公開部１３（１）〜１３（ｎ）、全国的投稿受付・公開部１４は、それぞれスポンサー４１（１）〜４１（ｎ）、４２から提供された情報を公開することもできる。
ユーザ端末２０Ａ、２０Ｂは、投稿受付・公開用サーバ１０に投稿用のデータを送信し、また投稿公開用のデータを入手してこれを表示する。ユーザ端末２０Ａ、２０Ｂは、ネットワーク３０に接続可能であれば一般的なパーソナル・コンピュータで差し支えない。なお、ユーザ端末２０Ａ、２０Ｂは、図１においては２つのみ示されているが、もっと多数であっても差し支えない。
ユーザ端末２０Ａは、表示部２１Ａ、入力部２２Ａ、送受信部２３Ａから構成される。表示部２１Ａは、例えばＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）等の表示手段であり、投稿内容の表示等を行う。入力部２２Ａは、例えばキーボード、マウス等の入力手段であり、投稿内容の入力等を行う。送受信部２３Ａは、ネットワーク３０を介し、投稿受付・公開用サーバ１０と投稿、公開用のデータの送受信を行う。
ユーザ端末２０Ｂの構成もユーザ端末２０Ａと同様であり、重複した記載を省略する。
図２Ａ、２Ｂは、それぞれ地域的投稿受付・公開部１３（ｉ）と全国的投稿受付・公開部１４の内部構成を表すブロック図である。
地域的投稿受付・公開部１３（ｉ）は、地域選択部１３１（ｉ）、地域的投稿受付部１３２（ｉ）、地域的投稿登録部１３３（ｉ）、地域的投稿検索部１３４（ｉ）、地域的投稿公開部１３５（ｉ）から構成される。
地域選択部１３１（ｉ）は、投稿に関わる地域を選択するための入力をユーザ端末２０Ａ、２０Ｂに対して促す。この入力の結果、選択された地域に対応する地域的投稿受付・公開部１３あるいは全国的投稿受付・公開部１４にユーザ端末２０Ａ、２０Ｂは接続され、投稿あるいは投稿の閲覧が行える。
地域的投稿受付部１３２（ｉ）は、所定の地域に関する投稿を受け付ける。地域的投稿登録部１３３（ｉ）は、地域的投稿受付部１３２（ｉ）が受け付けた投稿を登録し、データベース１２内に地域版コンテンツ１６（ｉ）の一部として保存する。地域的投稿検索部１３４（ｉ）は、地域的投稿登録部１３３（ｉ）で登録された投稿（地域版コンテンツ１６（ｉ））を所定の条件で検索、抽出する。地域的投稿公開部１３５（ｉ）は、地域的投稿登録部１３３（ｉ）が登録した投稿を公開する。具体的には、投稿のリストあるいは投稿内容をユーザ端末２０Ａ、２０Ｂ上に表示させる。
なお、地域的投稿受付・公開部１３（１）〜１３（ｎ）は、地域的投稿受付・公開部１３（ｉ）と同様の構成を有し得る。
全国的投稿受付・公開部１４は、地域選択部１４１、全国的投稿受付部１４２、全国的投稿登録部１４３、全国的投稿検索部１４４、全国的投稿公開部１４５から構成される。これら全国的投稿受付・公開部１４の構成要素は、投稿に関わる地域が日本全国である以外は地域的投稿受付・公開部１３（ｉ）とほぼ同様の構成となっている。ここで、全国的投稿受付部１４２、全国的投稿登録部１４３、全国的投稿検索部１４４、全国的投稿公開部１４５のそれぞれは、地域的投稿受付部１３２、地域的投稿登録部１３３、地域的投稿検索部１３４、地域的投稿公開部１３５それぞれとの対比において、地域的な限定がない非地域的投稿受付部、非地域的投稿登録部、非地域的投稿検索部、非地域的投稿公開部それぞれの一種として機能する。全国的投稿受付・公開部１４の各要素は、地域的な限定の有無を除くと、地域的投稿受付・公開部１３の各要素と特段の相違はないので重複した記載を省略する。
図３は、本実施形態においてユーザ端末２０Ａ、２０Ｂから投稿あるいは投稿の閲覧（投稿内容の公開）を行う手順を表したフロー図である。
（１）ユーザ端末２０Ａは、ネットワーク３０を通じて投稿受付・公開用サーバ１０に接続する（ステップＳ１０）。
この接続には、例えば投稿受付・公開用サーバ１０のＵＲＬ（Ｕｎｉｆｏｒｍ　Ｒｅｓｏｕｒｃｅ　Ｌｏｃａｔｏｒ）を指定してインターネットに接続することにより行える。
このＵＲＬは、例えば
「ｈｔｔｐ：／／ｔａｎｐｏｐｏ．ｔｏｓｈｉｂａ．ｃｏ．ｊｐ／ｔａｎｐｏｐｏ／ｉｎｄｅｘ＿ｊ．ｈｔｍ」のように指定することができる。
ここで、地域的投稿受付・公開部１３（１）〜１３（ｎ）、全国的投稿受付・公開部１４のそれぞれに対して異なったＵＲＬを予め付与しておくことにより、ユーザが希望する地域に対応した地域的投稿受付・公開部１３（ｉ）への接続を直ちに行うことができる。このときには、例えば地域：東京に対してＵＲＬを
「ｈｔｔｐ：／／ｔａｎｐｏｐｏ．ｔｏｓｈｉｂａ．ｃｏ．ｊｐ／ｔａｎｐｏｐｏ／ｔｏｋｙｏ／ｉｎｄｅｘ＿ｊ．ｈｔｍ」と命名する等、地域の名称を含むＵＲＬとすることで地域とＵＲＬとの対応関係を明確化できる。
図４にユーザ端末２０Ａが投稿受付・公開用サーバ１０に接続したときに、ユーザ端末２０Ａの表示部２１Ａ上に表示される画面の一例を示す。このとき、ユーザ端末２０Ａは、地域的投稿受付・公開部１３（ｉ）に接続しているものとする。
図４に示した表示画面には、地域選択ボタン５１、投稿対象選択ボタン５２、地域的投稿受付・公開部１３（ｉ）に対応するスポンサー４１（ｉ）のサイトにリンクするためのスポンサー・リンクボタン５３が示されている。
地域選択ボタン５１は、「全国版」選択ボタン５４、「地域版」選択ボタン５５から構成され、これらのボタンをマウスでクリックして、ユーザの投稿内容に関する地域を選択できる。
投稿対象選択ボタン５２は、「掲示板」選択ボタン５６、「フォトクラブ」選択ボタン５７、「メール友達募集」選択ボタン５８、「チャット」選択ボタン５９から構成され、これらのボタンをマウスでクリックして投稿対象を選択できる。
スポンサー・リンクボタン５３は、スポンサー４１（ｉ）がユーザに情報を提供するためのものである。スポンサー・リンクボタン５３をマウスでクリックすることで、ユーザ端末２０Ａはスポンサー４１（ｉ）のサイト等に接続され商品情報等の提供を受けることができる。即ち、スポンサー４１（ｉ）は地域的投稿受付・公開部１３（ｉ）を介して商品の宣伝等を行える。
（２）必要に応じて、ユーザ端末２０Ａから投稿に関する地域を選択するための入力がなされる（ステップＳ２０）。この選択は、既に述べたように、地域選択ボタン５１をクリックすることにより行える。
地域選択ボタン５１のうち「全国版」選択ボタン５４は、これをクリックすることで直ちに投稿に関する地域として日本全国（全国版）が選択される。これに対して、「地域版」選択ボタン５５をマウスでクリックすると、選択可能な地域のリストが表示される（プルダウン・メニュー方式）。
図５Ａに、「地域版」選択ボタン５５をクリックして、地域のリストを表示した状態を表す。日本全国を北海道から九州まで８つの地域に区分した地域区分リスト５５Ａが表示されている。この地域区分リスト５５Ａから、例えば「九州版」をマウスで選択して地域を選択できる。
地域の選択は、「地域版」選択ボタン５５をクリックして表示させたメニュー内を選択してより細分化したメニューを表示させる、２段階のプルダウンメニュー方式とすることもできる。
図５Ｂに２段階のプルダウンメニュー方式での画面表示の１例を示す。図５Ｂでは、「地域版」選択ボタン５５をマウスでクリックして表示させた地域区分リスト５５Ｂからさらに「関東」を選択して細分化した地域細分化リスト５５Ｃを表示させた状態を表している。地域細分化リスト５５Ｃ内からさらに「東京版」等を選択することで最終的に地域を選択できる。
地域の選択方法としては、３段階以上のプルダウンメニュー方式等他の方法を用いても差し支えない。最終的に投稿内容に関わる地域が特定されれば良い。この地域は、投稿者や閲覧者が現に居住している地域に限定する必要はなく、生まれ故郷、旅行先、知り合いの居住地等の理由で投稿者、閲覧者が何らかの興味を抱いている地域を自由に選択できる。
地域選択の入力は地域選択部１３１（ｉ）で処理され、図４で示したユーザ端末２０Ａの表示画面は選択された地域に対応する表示画面に移り変わる。
「地域版」選択ボタン５５のプルダウン・メニューから特定の地域を選択したときは、ユーザ端末２０Ａの表示画面はその地域に対応する地域的投稿受付・公開部１３が提供する画面に移り変わる。また、「全国版」選択ボタン５４のクリックにより「全国版」を選択したときには、ユーザ端末２０Ａの表示画面は全国的投稿受付・公開部１４が提供する画面に移り変わる。
これらの表示画面の構成は、基本的には図４の地域的投稿受付・公開部１３（ｉ）が提供する画面と同様で差し支えない。なお、スポンサー・リンクボタン５３は、それぞれの地域的投稿受付・公開部１３あるいは全国的投稿受付・公開部１４に対応するスポンサー４１、４２のサイトに接続するためのボタンに変更される。
（３）ユーザ端末２０Ａから投稿対象を選択するための入力がなされる（ステップＳ３０）。
投稿対象の選択は、既に述べたように投稿対象選択ボタン５２をクリックすることで行われる。このうち「掲示板」選択ボタン５６は、文章による投稿一般を掲示する掲示板を投稿対象として選択するためのものである。「フォトクラブ」選択ボタン５７は、画像情報を含む投稿を行う場合に選択する。「メール友達募集」選択ボタン５８は、メールでのやり取りを希望する相手を募集する場合に選択する。「チャット」選択ボタン５９は、チャット（ネットワーク上でリアルタイムのメッセージのやり取り）を行う場合に選択する。
これらのボタンのいずれかをマウスでクリックすることで、投稿対象が選択され、ユーザ端末２０Ａの表示画面はその投稿対象に対応した投稿・閲覧用画面に変化する。
（４）ユーザ端末２０Ａを通じて、投稿あるいは投稿内容の閲覧を行う（ステップＳ４０）。この投稿ないし閲覧は、投稿対象に対応した投稿・閲覧用画面を用いて行われる。
以下、「掲示板」選択ボタン５６をクリックして、投稿、閲覧対象に掲示板を選択した場合について述べる。
図６は、「掲示板」選択ボタン５６をマウスでクリックしたときにユーザ端末２０Ａに表示される投稿・閲覧用表示画面の１例である。この表示画面は、地域的投稿公開部１３５（ｉ）がユーザ端末２０Ａに表示させるものである。
図６に示すように、投稿のジャンル、投稿日時、タイトル、ペンネーム（投稿者の氏名）を表した投稿リスト６１、投稿リストの表示を変更するための表示変更ボタン群６２、新規に投稿を行うための新規投稿ボタン６３が表示されている。
表示変更ボタン群６２をマウスでクリックすることで、投稿リスト６１の表示内容を変更できる。具体的には、「ツリー表示」、「検索する」、「全件表示」等をクリックする。
「ツリー表示」では、投稿とその応答としての投稿を並べて投稿同士の対応関係を表現する。「日付順表示」では、投稿を投稿の日付順に表示する。「親記事のみ表示」では、一連の応答としての投稿群中の最初の投稿のみを表示する。「検索する」では、キーワード等を用いて投稿を検索、抽出して、そのリストを表示する。また、「全件表示」ではジャンルを問わず投稿の表示を行う。「相談」、「教えて」、「聞いて」は、それぞれ相談、質問、告知等の特定のジャンルの投稿のみを表示する。
（ａ）それぞれの投稿の具体的内容を閲覧するには、該当するタイトルの表示箇所をクリックする。この結果、地域的投稿公開部１３５（ｉ）の働きにより投稿の内容がユーザ端末２０Ａ上に表示される。
図７は、投稿内容が表示されたユーザ端末２０Ａの表示画面の１例である。投稿内容表示部７１に投稿内容が、投稿のタイトル、投稿者の氏名（ペンネーム）、投稿日時、投稿のジャンルとともに表されている。
ボタン７２は、この投稿に対する応答としての投稿を選択するためのものであり、ボタン７３はこの投稿者に対して電子メールを送ることを選択するためのものである。これらのボタン７２、７３をマウスでクリックすることで、それぞれ応答としての投稿、メール送付のための入力画面が表示される。
（ｂ）新規に投稿を行うには新規投稿ボタン６３をマウスでクリックする。その結果、ユーザ端末２０Ａ上に新規投稿のための入力画面が表示される。
図８は、新規投稿のための入力画面の一例を表す図である。投稿者の名前（ペンネーム）、投稿者の電子メールのアドレス、投稿のジャンル、タイトル、投稿内容の本文を入力し、ボタン８１をクリックして投稿内容を確認後に投稿を行う。投稿のジャンルは、「どれかジャンルを選んで」の箇所をクリックして表示されるプルダウンメニューから「相談」、「教えて」、「聞いて」、「その他」のいずれかを選択する。なお、ボタン８２は投稿のリストを表した元の画面（図６）に戻るためのものである。
先の投稿に対するレスポンスとしての投稿を行うには、既に述べたように投稿内容が表示された図７の画面においてボタン７２をクリックする。その結果、先の投稿に対するレスポンスとしての投稿のための入力を行う画面が表示される。この表示画面の例を図９に示す。
図９は、投稿のジャンルが先の投稿と同一であること、及びタイトルが仮に入力されていること以外は、図８と特に変わることがない。このため、重複した記載を省略する。なお、このときのタイトルは、先の登録のタイトルに応答（レスポンス）としての投稿であることを示す「Ｒｅ」が加わったものであるが、必要に応じて他のタイトルに変更することができる。
ボタン８１またはボタン９１をマウスでクリックして投稿内容を確認した後に、投稿を行う。この投稿は、地域的投稿受付部１３２（ｉ）によって受け付けられ、地域的投稿登録部１３３（ｉ）によって地域版コンテンツ１６（ｉ）の一部として登録される。
登録された投稿は前述のように、図６に示す投稿のリスト、あるいは図７の投稿内容表示として、地域的投稿公開部１３５（ｉ）によってユーザ端末２０Ａ上に表示、公開される。地域的投稿検索部１３４（ｉ）は、表示変更ボタン群６２をクリックしてどのような基準で投稿のリストを表示するかが決定されたとき投稿を検索し、投稿のリストとして抽出する。
以上、「掲示板」選択ボタン５６をクリックして掲示板を対象に投稿、閲覧を行う場合について説明した。
「フォトクラブ」選択ボタン５７、「メール友達募集」選択ボタン５８をクリックすると、それぞれ画像情報を含む投稿、メール仲間を募集するための投稿について投稿およびその閲覧が可能になる。また、「チャット」選択ボタン５９をクリックするとリアルタイムのチャットを行うことができる。
以上の実施形態では、投稿受付・公開用サーバ１０が投稿情報等他から提供された情報の公開を専ら行うコミニュケーション専用のサイトを構成することから、提供する情報を自ら作成する必要がなく、地域展開が容易となる。
また、投稿受付・公開専門それぞれの地域に対応した地域的投稿受付・公開部１３を選択できるので、地域に応じた話題を投稿しやすくなりを投稿者、投稿の閲覧者間のコミュニケーションをより密接なものとすることができる。このため、投稿受付・公開サーバを用いて、それぞれの地域内に対応したローカルコミュニティの形成が行える。
さらに、地域的投稿受付・公開部１３（ｉ）が地域選択部１３１（ｉ）を有することから、ユーザが自己の所属する地域以外の情報を容易に得ることが可能であり、例えば旅行等のための情報収集に役立てられる。
加えて、本実施形態に係る投稿受付・公開サーバは、複数の地域に対する投稿を単一のコンピュータ上で実現することが容易に行えるので、余分な労力、費用を要することなく実現可能である。
地域的投稿受付・公開部１３（ｉ）は、それぞれの地域に対する一種のフランチャイズとして機能し、それぞれ個別のスポンサー４１（ｉ）を募ることもできる。
以上の実施形態は本発明の範囲内で拡張変更することができ、拡張変更した内容も本発明の技術的範囲内に含まれる。
例えば、投稿の公開は電子メールを用いて行っても差し支えない。
それぞれの地域は一部が重複しても差し支えない。また、地域版とこれをより細分化した地域版、例えば「カリフォルニア州版」と「ロサンゼルス市版」、あるいは「東京版」と「千代田区版」とが共存しても良い。
同一国内に関する「全国版」に代えて、国の集合体例えばＥＣ（Ｅｕｒｏｐｅａｎ　Ｃｏｍｍｕｎｉｔｙ）に関する「ＥＣ版」、あるいは全世界に関する「全世界版」としても差し支えない。
産業上の利用可能性
本発明に係る投稿受付・公開方法では、ネットワークを通じて地域に関連した投稿を受け付け、公開することができる。この結果、直接対面することなく地域内での交流を深めることができる。
本発明によれば、ネットワークを通じて地域的な投稿を受付、公開する投稿受付・公開サーバを提供できる。
【図面の簡単な説明】
図１は、本発明の実施形態に係る投稿受付・公開システムの全体構成を表す概念図である。
図２Ａ、２Ｂは、図１の投稿受付・公開システムの地域的投稿受付・公開部と全国的投稿受付・公開部それぞれの内部構成を表すブロック図である。
図３は、本発明の実施形態においてユーザ端末から投稿、または投稿内容の閲覧を行う手順を表したフロー図である。
図４は、本発明の実施形態においてユーザ端末が投稿受付・公開用サーバに接続したときに、ユーザ端末に表示される表示画面の一例である。
図５Ａ、図５Ｂはそれぞれ、本発明の実施形態において「地域版」選択ボタンをクリックして地域のリストを表示させたときにユーザ端末上に表示される表示画面の１例である。
図６は、本発明の実施形態において「掲示板」選択ボタンをクリックしたときにユーザ端末に表示される投稿・閲覧用表示画面の１例である。
図７は、本発明の実施形態において投稿内容が表示された表示画面の１例である。
図８は、本発明の実施形態における新規投稿のための入力画面の一例である。
図９は、本発明の実施形態において先行する投稿への応答としての投稿のための入力用表示画面の一例である。
図１０は、従来の情報公開システムの構成を表す概念図である。
図１１は、従来の情報公開システムから提供される情報の１例を表す図である。
【図１】
2002054253.tif 000003
【図２Ａ】
2002054253.tif 000004
【図２Ｂ】
2002054253.tif 000005
【図３】
2002054253.tif 000006
【図４】
2002054253.tif 000007
【図５Ａ】
2002054253.tif 000008
【図５Ｂ】
2002054253.tif 000009
【図６】
2002054253.tif 000010
【図７】
2002054253.tif 000011
【図８】
2002054253.tif 000012
【図９】
2002054253.tif 000013
【図１０】
2002054253.tif 000014
【図１１】
2002054253.tif 000015
【国際調査報告】
2002054253.tif 000016
2002054253.tif 000017
2002054253.tif 000018